(57)【要約】【課題】  ユーザの手間を増加させることなく、レイティング情報の記載漏れを防ぎ、コンテンツ毎にレイティングレベルが異なるまたは間違える可能性を少なくすることが可能な転送装置を提供する。【解決手段】  転送装置（１）は、宅内サーバでレイティングされていないコンテンツが公開された場合に外部クライアントからのアクセスに対して宅内サーバが送信する応答内のコンテンツにレイティング情報を付加する付加手段（ＨＴＴＰレスポンス生成部１７）を有する。【選択図】      図１
2010282305.tif 000002
【特許請求の範囲】
【請求項１】
宅内サーバでレイティングされていないコンテンツが公開された場合に外部クライアントからのアクセスに対して前記宅内サーバが送信する応答内のコンテンツにレイティング情報を付加する付加手段を有することを特徴とする転送装置。
【請求項２】
前記宅内サーバから前記外部クライアントへの応答内のコンテンツを監視する監視手段と、前記監視手段で検出した当該コンテンツのボディ部に対してキーワード検索を実施する検索手段とを含み、
前記付加手段は、前記検索手段のキーワード検索に基づいて前記レイティング情報を付加することを特徴とする請求項１記載の転送装置。
【請求項３】
ユーザが予め設定しかつ前記キーワード検索に用いるキーワードを記憶する記憶手段と、ユーザが予め設定しかつ前記キーワードと前記レイティング情報とを対応付けて格納する格納手段とを含み、
前記検索手段は、前記記憶手段のキーワードを用いて前記キーワード検索を行い、
前記付加手段は、前記検索手段のキーワード検索と前記格納手段の前記キーワードと前記レイティング情報との対応とに基づいて前記レイティング情報を付加することを特徴とする請求項２記載の転送装置。
【請求項４】
複数の宅内サーバが配置された場合に、それら複数の宅内サーバからのコンテンツに対して前記レイティング情報を付加することを特徴とする請求項１から請求項３のいずれか記載の転送装置。
【請求項５】
前記複数の宅内サーバに対して前記レイティング情報の集中管理を行うことを特徴とする請求項４記載の転送装置。
【請求項６】
前記宅内サーバにて記載された前記レイティング情報を予め設定されたレイティング情報で再設定することを特徴とする請求項１から請求項５のいずれか記載の転送装置。
【請求項７】
前記宅内サーバに複数の外部クライアントがアクセスする場合に前記複数の外部クライアント各々に応じたレイティング情報を前記宅内サーバからのコンテンツに付加することを特徴とする請求項１から請求項６のいずれか記載の転送装置。
【請求項８】
上記の請求項１から請求項７のいずれかに記載の転送装置を含むことを特徴とするレイティングシステム。
【請求項９】
宅内サーバと外部クライアントとの間に転送装置を配設してなるシステムに用いるレイティング方法であって、
前記転送装置が、前記宅内サーバでレイティングされていないコンテンツが公開された場合に前記外部クライアントからのアクセスに対して前記宅内サーバが送信する応答内のコンテンツにレイティング情報を付加する付加処理を実行することを特徴とするレイティング方法。
【請求項１０】
前記転送装置が、前記宅内サーバから前記外部クライアントへの応答内のコンテンツを監視する監視処理と、前記監視処理で検出した当該コンテンツのボディ部に対してキーワード検索を実施する検索処理とを実行し、
前記転送装置が、前記付加処理において、前記検索処理のキーワード検索に基づいて前記レイティング情報を付加することを特徴とする請求項９記載のレイティング方法。
【請求項１１】
前記転送装置に、ユーザが予め設定しかつ前記キーワード検索に用いるキーワードを記憶する記憶手段と、ユーザが予め設定しかつ前記キーワードと前記レイティング情報とを対応付けて格納する格納手段とを設け、
前記転送装置が、前記検索処理において、前記記憶手段のキーワードを用いて前記キーワード検索を行い、前記付加処理において、前記検索処理のキーワード検索と前記格納手段の前記キーワードと前記レイティング情報との対応とに基づいて前記レイティング情報を付加することを特徴とする請求項１０記載のレイティング方法。
【請求項１２】
前記転送装置が、複数の宅内サーバが配置された場合に、それら複数の宅内サーバからのコンテンツに対して前記レイティング情報を付加することを特徴とする請求項９から請求項１１のいずれか記載のレイティング方法。
【請求項１３】
前記転送装置が、前記複数の宅内サーバに対して前記レイティング情報の集中管理を行うことを特徴とする請求項１２記載のレイティング方法。
【請求項１４】
前記転送装置が、前記宅内サーバにて記載された前記レイティング情報を予め設定されたレイティング情報で再設定することを特徴とする請求項９から請求項１３のいずれか記載のレイティング方法。
【請求項１５】
前記転送装置が、前記宅内サーバに複数の外部クライアントがアクセスする場合に前記複数の外部クライアント各々に応じたレイティング情報を前記宅内サーバからのコンテンツに付加することを特徴とする請求項９から請求項１４のいずれか記載のレイティング方法。
【請求項１６】
宅内サーバと外部クライアントとの間に配設された転送装置内の中央処理装置に実行させるプログラムであって、
前記宅内サーバでレイティングされていないコンテンツが公開された場合に前記外部クライアントからのアクセスに対して前記宅内サーバが送信する応答内のコンテンツにレイティング情報を付加する付加処理を含むことを特徴とするプログラム。
【発明の詳細な説明】
【技術分野】
【０００１】
本発明は転送装置、レイティングシステム及びそれらに用いるレイティング方法並びにそのプログラムに関し、特にネットワーク上のコンテンツを適正にフィルタリングする際に用いられるレイティング方法に関する。
【背景技術】
【０００２】
昨今、ネットワーク上のコンテンツを適正にフィルタリングする必要性に迫られている。例えば、家庭や学校、図書館などで行なうアクセス制限や、企業が行なうアクセス制限等がある。
【０００３】
これに関連する技術例としては、下記の特許文献１〜３に記載の技術がある。特許文献１に記載の技術では、プロキシサーバで行うフィルタリングに、プロキシサーバにキャッシュされる各種ファイルのファイル名とファイルの内容とを、キーワード記憶部に記録されたキーワードと比較し、フィルタリングを行うか否かを決定している。
【０００４】
特許文献２に記載の技術では、プロキシサーバやメールサーバ等に設けられるフィルタリング機能に、キーワード記憶手段に記録されたキーワードと、コンテンツ提供サーバから順次受信する通信データを解析処理して比較してフィルタリングしている。
【０００５】
特許文献３に記載の技術では、情報処理装置のコンテンツ再生プログラムに設けてあるフィルタリングに用いるコンテンツパラメータ（フィルタリングレベル）を、例示するファイルと比較して設定するコンテンツパラメータの設定方法が示されている。
【０００６】
フィルタリングには、様々な方式がある。フィルタリングの例としては、禁止句や禁止ＵＲＬ（Ｕｎｉｆｏｒｍ  Ｒｅｓｏｕｒｃｅ  Ｌｏｃａｔｏｒ）を記載した情報テーブルをコンテンツ再生プログラム（ブラウザ等）、プロキシサーバ、ＩＳＰ（Ｉｎｔｅｒｎｅｔ  Ｓｅｒｖｉｃｅｓ  Ｐｒｏｖｉｄｅｒ）の何れか、又は複数に配置して情報テーブルに従いフィルタリングを行う方式や、予めコンテンツ毎にレイティングレベルを設定し（ラベリング）、当該レイティングレベルをコンテンツ再生プログラムで識別する方式等がある。尚、一般的なコンテンツ再生プログラムには、上記のレイティングレベルを識別する機能が搭載されているものが多い。さらに、上記のレイティングレベルを用いるフィルタリング方法には、コンテンツ再生プログラムの処理負担が少ないという特徴がある。
【０００７】
ここで、通常のレイティングは、手動でレイティング情報を埋め込む必要があり、ユーザの手間がかかる。また、レイティングレベルの記載漏れやレイティングレベルの設定間違いが発生する可能性がある。
【先行技術文献】
【特許文献】
【０００８】
【特許文献１】特開２０００−４７９２７号公報
【特許文献２】特開２００５−２２２２０７号公報
【特許文献３】特表２００３−５１７７６６号公報
【発明の概要】
【発明が解決しようとする課題】
【０００９】
上述した本発明に関連するレイティング方法では、通常、サーバ公開するユーザが自らレイティング情報をＨＴＭＬ（Ｈｙｐｅｒ  Ｔｅｘｔ  Ｍａｒｋｕｐ  Ｌａｎｇｕａｇｅ）に手動で設定する必要があり、
１）作成者が画面（ＨＴＭＬ）作成時に、自ら手動でレイティング情報を記載する必要があり、レイティング情報を記載漏れする可能性が存在する
２）コンテンツ毎（ＨＴＭＬページ単位）に記載する必要があり、コンテンツが多い場合は非常に手間がかかる
３）レイティング情報が作成者の主観で設定されるため、レイティング情報を間違える可能性が存在する
という課題が存在する。
【００１０】
そこで、本発明の目的は上記の問題点を解消し、ユーザの手間を増加させることなく、レイティング情報の記載漏れを防ぐことができ、コンテンツ毎にレイティングレベルが異なるまたは間違える可能性を少なくすることができる転送装置、レイティングシステム及びそれらに用いるレイティング方法並びにそのプログラムを提供することにある。
【課題を解決するための手段】
【００１１】
本発明による転送装置は、宅内サーバでレイティングされていないコンテンツが公開された場合に外部クライアントからのアクセスに対して前記宅内サーバが送信する応答内のコンテンツにレイティング情報を付加する付加手段を備えている。
【００１２】
本発明によるレイティングシステムは、上記の転送装置を含むことを特徴とする。
【００１３】
本発明によるレイティング方法は、宅内サーバと外部クライアントとの間に転送装置を配設してなるシステムに用いるレイティング方法であって、
前記転送装置が、前記宅内サーバでレイティングされていないコンテンツが公開された場合に前記外部クライアントからのアクセスに対して前記宅内サーバが送信する応答内のコンテンツにレイティング情報を付加する付加処理を実行している。
【００１４】
本発明によるプログラムは、宅内サーバと外部クライアントとの間に配設された転送装置内の中央処理装置に実行させるプログラムであって、
前記宅内サーバでレイティングされていないコンテンツが公開された場合に前記外部クライアントからのアクセスに対して前記宅内サーバが送信する応答内のコンテンツにレイティング情報を付加する付加処理を含むことを特徴とする。
【発明の効果】
【００１５】
本発明は、上記のような構成及び動作とすることで、ユーザの手間を増加させることなく、レイティング情報の記載漏れを防ぐことができ、コンテンツ毎にレイティングレベルが異なるまたは間違える可能性を少なくすることができるという効果が得られる。
【図面の簡単な説明】
【００１６】
【図１】本発明の第１の実施の形態による転送装置の構成例を示すブロック図である。
【図２】図１のレイティング表の構成例を示す図である。
【図３】本発明の第１の実施の形態によるレイティングシステムの動作例を示すシーケンスチャートである。
【図４】図１の転送装置内におけるキーワード及びレイティング表の作成処理を示すフローチャートである。
【図５】図１の転送装置内でレイティングレベルを付加するまでの動作を示すフローチャートである。
【図６】本発明の第２の実施の形態によるレイティング表の構成例を示す図である。
【図７】本発明の第２の実施の形態によるレイティングシステムの動作例を示すシーケンスチャートである。
【発明を実施するための形態】
【００１７】
次に、本発明の実施の形態について図面を参照して説明する。まず、本発明によるレイティングシステムについて説明する。本発明によるレイティングシステムは、個人宅の宅内サーバ等でレイティングされていないコンテンツを公開した場合に、外部（インタネット）クライアントからのアクセスに対して、サーバが送信する応答に対して転送装置内にてレイティング情報を付加することにより、自動で外部のクライアントに対してレイティングされたコンテンツを提供することを特徴としている。
【００１８】
通常、レイティングされたコンテンツを公開する場合は、サーバ公開者が、
１）作成者が画面（ＨＴＭＬ：Ｈｙｐｅｒ  Ｔｅｘｔ  Ｍａｒｋｕｐ  Ｌａｎｇｕａｇｅ）作成時に、自ら手動でレイティング情報を記載する必要がある
２）コンテンツ毎（ＨＴＭＬページ単位）に記載する必要がある
３）レイティング情報が作成者の主観で設定可能である
というような処理を実施する必要がある。
【００１９】
そのため、レイティングされたコンテンツを公開する場合は、１）のためにレイティング情報の記載を忘れる可能性があり、２）のために非常に手間がかかり、公開するコンテンツが多い場合や、サーバを複数公開する場合に手間が増える可能性があり、３）のためにレイティングレベルの設定を間違える可能性があるという問題点が存在する。
【００２０】
本発明では、宅内サーバと外部クライアントとの間に設置された転送装置内にてＨＴＭＬファイルにレイティング情報を付加することにより、上記の問題点を解決している。
【００２１】
以下、本発明によるレイティングシステムの特徴について説明する。尚、本発明によるレイティングシステムでは、ＨＴＭＬファイルを送信する宅内サーバ（個人宅のサーバ等）と、そのＨＴＭＬファイルを受信する外部クライアントとの間に、当該ＨＴＭＬファイルを外部クライアントに転送する転送装置を配置している。
【００２２】
外部クライアントから、宅内サーバのコンテンツを取得するＨＴＴＰ（Ｈｙｐｅｒ  Ｔｅｘｔ  Ｔｒａｎｓｆｅｒ  Ｐｒｏｔｏｃｏｌ）リクエストが送信されると、宅内サーバは、レイティング情報が存在しない画面（ＨＴＭＬファイル）をＢＯＤＹ部に含むＨＴＴＰレスポンスを外部クライアントに返信する。
【００２３】
ルータ等に代表される転送装置は、宅内サーバからのＨＴＴＰレスポンスを監視し、ＨＴＴＰレスポンス受信を検出すると、ＨＴＴＰレスポンスを取得して、ＨＴＴＰレスポンスのＢＯＤＹ部に対してキーワード検索を実施する。
【００２４】
転送装置は、キーワード検索に基づくレイティング情報を付加したＨＴＭＬファイルを作成し、そのＨＴＭＬファイルを含むＨＴＴＰレスポンスを外部クライアントに対して送信する。キーワードとキーワードに対応するレイティング情報とは、事前に設定している。
【００２５】
転送装置は、レイティング情報が存在するＨＴＴＰレスポンスを受信した場合も、レイティング情報を上書きすることにより、正しいレイティング情報を外部クライアントに通知することが可能である。
【００２６】
本発明は、外部からのＨＴＴＰリクエストに対して、宅内サーバが送信するＨＴＴＰレスポンスを取得し、事前に設定したキーワードによりＨＴＴＰレスポンスのＢＯＤＹ部に対してキーワード検索を実施し、レイティング情報を付加したＨＴＭＬファイルを含むＨＴＴＰレスポンスを外部クライアントに転送することにより、自動でレイティングを実施することを可能としている。
【００２７】
図１は本発明の第１の実施の形態による転送装置の構成例を示すブロック図である。図１において、転送装置１は、ＨＴＴＰレスポンス監視部１１と、ＢＯＤＹ取得部１２と、キーワード検索部１３と、キーワード記憶部１４と、レイティング表１５と、レイティング解析部１６と、ＨＴＴＰレスポンス生成部１７と、ＨＴＴＰレスポンス送信部１８とから構成されている。
【００２８】
ＨＴＴＰレスポンス監視部１１は、転送装置１における宅内サーバ（図示せず）からの受信パケットを監視し、ＨＴＴＰレスポンスを検出した場合、そのＨＴＴＰレスポンスを取得する。ＢＯＤＹ取得部１２は、ＨＴＴＰレスポンス監視部１１で取得したＨＴＴＰレスポンスからＢＯＤＹ部を取得する。キーワード検索部１３は、ＢＯＤＹ取得部１２で取得したＢＯＤＹ部にキーワードが存在するか否かを検索する。
【００２９】
キーワード記憶部１４は、ユーザが事前に設定したキーワードを記憶する。レイティング表１５は、ユーザが事前に設定するキーワードとレイティングレベルとを対応させて保存する。
【００３０】
レイティング解析部１６は、キーワード検索部１３の検索結果とレイティング表１５とを対比し、レイティングレベルを決定する。ＨＴＴＰレスポンス生成部１７は、レイティング解析部１６で決定したレイティングレベルの情報をＢＯＤＹ部へ追加したＨＴＴＰレスポンスを生成する。ＨＴＴＰレスポンス送信部１８は、ＨＴＴＰレスポンス生成部１７で生成したＨＴＴＰレスポンスを外部クライアント（図示せず）へ送信する。
【００３１】
図２は図１のレイティング表１５の構成例を示す図である。図２において、レイティング表１５は、ユーザが事前に設定するキーワード（「ＡＡＡＡ」，「ＢＢＢＢ」，「ＣＣＣＣ」，「ＤＤＤＤ」，「ＥＥＥＥ」，・・・，「ＸＸＸＸ」）と、レイティングレベル（「２」，「３」，「７」，「５」，「１」，・・・，「６」）とを対応させて保存する。
【００３２】
図３は本発明の第１の実施の形態によるレイティングシステムの動作例を示すシーケンスチャートである。これら図１〜図３を参照して本発明の第１の実施の形態によるレイティングシステムの動作について説明する。
【００３３】
転送装置１は、ＨＴＴＰレスポンス監視部１１で、宅内サーバ２から送信されるパケットを監視し、宅内サーバ２からＨＴＴＰレスポンス［外部クライアント３からのＨＴＴＰリクエストに対するレスポンス］を受信すると（図３のａ１，ａ２）、ＨＴＴＰレスポンス監視部１１がＨＴＴＰレスポンスのパケットを取得し、ＢＯＤＹ取得部１２へ通知する。
【００３４】
ＢＯＤＹ取得部１２は、通知されたパケットからＨＴＭＬを抜き出し、キーワード検索部１３へ通知する。キーワード検索部１３は、ユーザが事前に設定したキーワードを保存するキーワード記憶部１４からキーワードを取得し、ＢＯＤＹ取得部１２で抜き出したＨＴＭＬにキーワードが存在するかどうかを検索し、キーワード検索の結果をレイティング解析部１６へ通知する。
【００３５】
レイティング解析部１６は、キーワード検索部１３でのキーワード検索の結果とレイティング表１５とを基に、取得したＨＴＭＬのレイティングレベルを決定し、決定したレイティングレベルをＨＴＴＰレスポンス生成部１７へ通知する。
【００３６】
ＨＴＴＰレスポンス生成部１７は、レイティング解析部１６から通知されたレイティングレベルを付加したＨＴＭＬを含むＨＴＴＰレスポンスを生成し（図３のａ３）、作成したＨＴＴＰレスポンスをＨＴＴＰレスポンス送信部１８へ通知する。
【００３７】
ＨＴＴＰレスポンス送信部１８は、レイティング済みのＨＴＭＬ（レイティングレベルが付加されたＨＴＭＬ）を含むＨＴＴＰレスポンスを外部クライアント３に送信する（図３のａ４）。
【００３８】
上記のキーワード及びレイティングレベルは、図２に示すように、事前に設定し、キーワード記憶部１４とレイティング表１５とにそれぞれ記憶する。
【００３９】
図４は図１の転送装置１内におけるキーワード及びレイティング表１５の作成処理を示すフローチャートであり、図５は図１の転送装置１内でレイティングレベルを付加するまでの動作を示すフローチャートである。これら図１と図４と図５とを参照して図１の転送装置１の動作について説明する。尚、図４及び図５に示す処理は、転送装置１内のＣＰＵ（中央処理装置）（図示せず）が記憶装置（メモリ等）（図示せず）に格納されたプログラムを実行することで実現可能である。
【００４０】
まず、図１及び図４を参照して、事前に転送装置１内に設定するキーワードとレイティング表１５との作成過程について説明する。
【００４１】
転送装置１は、ユーザからのキーワードを内部に設定するとともに（図４ステップＳ１）、そのキーワードに対応したレイティングレベルを内部に設定する（図４ステップＳ２）。転送装置１は、キーワードとレイティングレベルとをユーザが希望する個数設定する（図４ステップＳ３）。
【００４２】
ユーザによる設定が完了すると、転送装置１は、上記の処理で設定されたキーワードをキーワード記憶部１４に記憶し（図４ステップＳ４）、上記の処理で設定されたキーワードとレイティングレベルとからレイティング表を作成し（図４ステップＳ５）、レイティング表１５として転送装置１内に記憶する。
【００４３】
次に、図１と図５とを参照して転送装置１内でレイティングレベルを付加するまでの処理動作について説明する。
【００４４】
転送装置１は、ＨＴＴＰレスポンス監視部１１にて宅内サーバ２からの受信パケットを監視し（図５ステップＳ１１）、受信パケットを受信すると、そのパケットがＨＴＴＰレスポンスであるか否を判定する（図５ステップＳ１２）。
【００４５】
転送装置１は、ＨＴＴＰレスポンスでない場合、パケットを転送装置１内に取得せず、そのまま外部クライアント３等に転送する（図５ステップＳ１９）。転送装置１は、ＨＴＴＰレスポンスを受信した場合、ＢＯＤＹ取得部１２にてＨＴＴＰレスポンスからＢＯＤＹ部を取得する（図５ステップＳ１３）。
【００４６】
続いて、転送装置１は、ＢＯＤＹ取得部１２にてＢＯＤＹ部からＨＴＭＬを取得し（図５ステップＳ１４）、取得したＨＴＭＬ内に、ユーザが事前に設定したキーワードが存在するかをキーワード検索部１３にて検索する（図５ステップＳ１５）。
【００４７】
転送装置１は、レイティング解析部１６にてキーワード検索部１３でのキーワードの検索結果とレイティング表１５とを比較し、ＨＴＭＬのレイティングレベルを決定する（図５ステップＳ１６）。
【００４８】
転送装置１は、レイティング解析部１６で決定したレイティングレベルをＨＴＭＬに付加したＨＴＴＰレスポンスをＨＴＴＰレスポンス生成部１７にて生成し（図５ステップＳ１７）、生成したＨＴＴＰレスポンスをＨＴＴＰレスポンス送信部１８から外部クライアント３に送信する（図５ステップＳ１８）。
【００４９】
このように、本実施の形態では、宅内サーバ２からのコンテンツ（ＨＴＭＬファイル）に対して転送装置１内でレイティング情報を付加するので、ユーザのレイティング情報の付加忘れを防ぐことができる。
【００５０】
また、本実施の形態では、宅内サーバ２のコンテンツが多い場合も、転送装置１内でレイティング情報を付加するので、ユーザの手間が増加することはない。
【００５１】
さらに、本実施の形態では、ユーザが事前に設定したキーワードによりレイティングレベルを決定するため、コンテンツ毎にレイティングレベルが異なるまたは間違える可能性が少ない。
【００５２】
一方、本実施の形態では、複数の宅内サーバが配置された場合も、転送装置１内でそれら複数の宅内サーバからのコンテンツに対してレイティング情報を付加することが可能であるので、かかる費用や手間が１台の宅内サーバの場合と変わらない。
【００５３】
また、本実施の形態では、転送装置１のファームウェアをバージョンアップすることにより自動で配下の全ての宅内サーバのレイティング情報を更新または追加することが可能である（集中管理が可能）。
【００５４】
さらに、本実施の形態では、宅内サーバ２内のコンテンツでレイティングレベルを間違えて記載していた場合も、転送装置１内で正しいレイティングレベルを再設定することができる。
【００５５】
図６は本発明の第２の実施の形態によるレイティング表の構成例を示す図であり、図７は本発明の第２の実施の形態によるレイティングシステムの動作例を示すシーケンスチャートである。これら図６及び図７を参照して本発明の第２の実施の形態について説明する。尚、本発明の第２の実施の形態による転送装置の構成は、図１に示す本発明の第１の実施の形態による転送装置１の構成と同様なので、その説明については省略する。
【００５６】
図６において、本発明の第２の実施の形態によるレイティング表１５は、ユーザが事前に設定するキーワード（「ＡＡＡＡ」，「ＢＢＢＢ」，「ＣＣＣＣ」，「ＤＤＤＤ」，「ＥＥＥＥ」，・・・，「ＸＸＸＸ」）と、レイティングレベル（「大人」：「２」，「３」，「７」，「５」，「１」，・・・，「６」、「子供」：「４」，「５」，「９」，「７」，「３」，・・・，「８」）とを対応させて保存する。
【００５７】
宅内サーバに複数の外部クライアントがアクセスする場合、外部クライアントが大人あるいは子供によりレイティングレベルを分けたい場合が存在する（子供には見せたくない等）。
【００５８】
本実施の形態では、宅内サーバ２でＨＴＴＰの一般的な認証を実施し、その認証情報を転送装置１で取得し、外部クライアント３によりレイティングテーブル（レイティング表１５）を分けることを実現している。
【００５９】
転送装置１は、外部クライアント３が送信するＨＴＴＰリクエスト（図７のｂ１）のＨＥＡＤＥＲ情報を参照し（図７のｂ２）、認証情報より外部クライアント３のユーザを判定し、使用するレイティングテーブルを選択する（図７のｂ３）。転送装置１は、外部クライアント３からのＨＴＴＰリクエストを、認証情報を参照した後に宅内サーバ２へ送信する（図７のｂ４）。
【００６０】
転送装置１は、宅内サーバ２より送信されるＨＴＴＰレスポンスを取得すると（図７のｂ５）、キーワード検索を実施し、上記のｂ２の処理にて選択したレイティングテーブルを基にレイティングレベルを決定し、レイティング情報を付加したＨＴＴＰレスポンスを生成する（図７のｂ６）。その後、転送装置１は、作成したＨＴＴＰレスポンスを外部クライアント３に送信する（図７のｂ７）。
【００６１】
レイティングテーブルは、例えば、図６に示すように、「大人」、「子供」等に分けて運用する。
【産業上の利用可能性】
【００６２】
本発明は、ルータ等の転送装置に適用可能である。
【符号の説明】
【００６３】
１  転送装置
２  宅内サーバ
３  外部クライアント
１１  ＨＴＴＰレスポンス監視部
１２  ＢＯＤＹ取得部
１３  キーワード検索部
１４  キーワード記憶部
１５  レイティング表
１６  レイティング解析部
１７  ＨＴＴＰレスポンス生成部
１８  ＨＴＴＰレスポンス送信部
【図１】
2010282305.tif 000003
【図２】
2010282305.tif 000004
【図３】
2010282305.tif 000005
【図４】
2010282305.tif 000006
【図５】
2010282305.tif 000007
【図６】
2010282305.tif 000008
【図７】
2010282305.tif 000009